【手続補正書】
【提出日】平成27年12月15日(2015.12.15)
【手続補正１】
【補正対象書類名】明細書
【補正対象項目名】０００６
【補正方法】変更
【補正の内容】
【０００６】
第１発明は、
物体側から順に、正の屈折力を有する第１レンズ群と、負の屈折力を有する第２レンズ群と、正の屈折力を有する第３ンズ群と、正の屈折力を有する第４レンズ群と、第５レンズ群を少なくとも有し、以下の条件式を満足することを特徴とするズームレンズ。
3.1 ≦ βbt ≦ 4.0 ・・・・・・・・・・・・・・・・(１)
βbt ： 第５レンズ群より像側のレンズ群の望遠端での合成倍率
である。
【手続補正２】
【補正対象書類名】明細書
【補正対象項目名】０００７
【補正方法】変更
【補正の内容】
【０００７】
第２発明は、
物体側から順に、正の屈折力を有する第１レンズ群と、負の屈折力を有する第２レンズ群と、正の屈折力を有する第３ンズ群と、正の屈折力を有する第４レンズ群と、第５レンズ群を少なくとも有し、以下の条件式を満足するズームレンズの像側に、前記ズームレンズによって形成された光学像を電気的信号に変換する撮像素子を備えたことを特徴とする撮像装置
3.1 ≦ βbt ≦ 4.0 ・・・・・・・・・・・・・・・・(１)
βbt ： 第５レンズ群より像側のレンズ群の望遠端での合成倍率
である。
【手続補正３】
【補正対象書類名】明細書
【補正対象項目名】００２０
【補正方法】変更
【補正の内容】
【００２０】
(条件式（２）)
条件式（２）の下限を超えて第１レンズ群の正の屈折力が強くなると、望遠端での色収差が大きくなり、補正が困難となり、望ましくない。また、上限を超え、第１レンズ群の正の屈折力が弱くなると、第２レンズ群に入射する光束が小さくならず、第２レンズ群が大型化する。また、第１群の移動量の増大を招き、鏡筒全体の大型化をもたらし、望ましくない。
【手続補正４】
【補正対象書類名】明細書
【補正対象項目名】００２４
【補正方法】変更
【補正の内容】
【００２４】
（第１実施形態）
図１は、本発明の第１実施形態に係るズームレンズのレンズ構成を示すレンズ断面図である。第１実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5と、負の屈折力を有する第６レンズ群G6とによって構成される。
【手続補正５】
【補正対象書類名】明細書
【補正対象項目名】００２６
【補正方法】変更
【補正の内容】
【００２６】
第１実施形態のズームレンズにおいては、広角端から望遠端への変倍に際して、第１レンズ群が物体側に移動し、第２レンズ群は固定、第３レンズ群は第２レンズ群に対して像側に凸の軌跡を描きながら移動し、第４レンズ群は第３レンズ群に対して像側に凸の軌跡を描きながら移動し、第５レンズ群は物体側に移動し、第６レンズ群は第４レンズ群と一体となって、第４レンズ群と同様に移動する。
【手続補正６】
【補正対象書類名】明細書
【補正対象項目名】００３３
【補正方法】変更
【補正の内容】
【００３３】
第１レンズ群G1は、物体側から順に、物体側に凸面を向けた負の屈折力を有するメニスカスレンズL1と、正の屈折力を有するレンズL2との接合レンズと、物体側に凸面を向けた正の屈折力を有するメニスカスレンズL3とで、構成される。
第２レンズ群G2は、物体側から順に、正の屈折力を有するレンズL4と、負の屈折力を有するレンズL5との接合レンズと、物体側に凸面を向けた正の屈折力を有するレンズL6と、負の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、正の屈折力を有するレンズL20との接合レンズとで構成される。
【手続補正７】
【補正対象書類名】明細書
【補正対象項目名】００４０
【補正方法】変更
【補正の内容】
【００４０】
（第３実施形態）
図９は、本発明の第３実施形態に係るズームレンズのレンズ構成を示すレンズ断面図である。第３実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とによって構成される。
【手続補正８】
【補正対象書類名】明細書
【補正対象項目名】００４１
【補正方法】変更
【補正の内容】
【００４１】
第１レンズ群G1は、物体側から順に、物体側に凸面を向けた負の屈折力を有するメニスカスレンズL1と、正の屈折力を有するレンズL2との接合レンズと、正の屈折力を有するレンズL3とによって構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL6と、正の屈折力を有するレンズL7との接合レンズと、物体側に凹面を向けた負の屈折を有するメニスカスレンズL8とによって構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、物体側に凸面を向けた正の屈折力を有するメニスカスレンズL20との接合レンズとで構成される。
【手続補正９】
【補正対象書類名】明細書
【補正対象項目名】００４７
【補正方法】変更
【補正の内容】
【００４７】
（第４実施形態）
図13は、第４実施形態のズームレンズのレンズ構成を示すレンズ断面図である。第４実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とで構成される。
【手続補正１０】
【補正対象書類名】明細書
【補正対象項目名】００４８
【補正方法】変更
【補正の内容】
【００４８】
第１レンズ群G1は、物体側から順に、物体側に凸面を向けた負の屈折力を有するメニスカスレンズL1と、正の屈折力を有するレンズL2との接合レンズと、正の屈折力を有するレンズL3とで、構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL6と、正の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、物体側に凸面を向けた正の屈折力を有するメニスカスレンズL20との接合レンズとで構成される。
【手続補正１１】
【補正対象書類名】明細書
【補正対象項目名】００５５
【補正方法】変更
【補正の内容】
【００５５】
第５実施形態のズームレンズの第１レンズ群G1は、物体側から順に、物体側に凸面を向けた負の屈折力を有するメニスカスレンズL1と、正の屈折力を有するレンズL2との接合レンズと、物体側に凸面を向けた正の屈折力を有するメニスカスレンズL3とで、構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL6と、正の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、両凸レンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と両凸レンズL16と、負の屈折力を有するレンズL17との接合レンズとで構成される。
第５レンズ群G5は、物体側から順に、物体側に凸面を向けた負の屈折力を有するレンズL18と、両凹レンズL19と、両凸レンズL20との接合レンズとで構成される。
【手続補正１２】
【補正対象書類名】明細書
【補正対象項目名】００６０
【補正方法】変更
【補正の内容】
【００６０】
第５実施形態のズームレンズの広角端状態(f=122.40)、中間焦点距離状態(f=304.04)及び望遠端状態(f=582.00)での近接物体合焦時の面間隔を、無限物体合焦時の焦点距離f、第1レンズ面から物体までの距離D(0)と共に、表１５に示す。
［表１５］
f        122.40 304.04 582.00
D( 0)   2217.380     2152.787     2122.908
D(29)     34.11145     15.72925     14.53497
D(35)     11.99467     10.42577     14.01258
【手続補正１３】
【補正対象書類名】明細書
【補正対象項目名】００６１
【補正方法】変更
【補正の内容】
【００６１】
第１実施形態から第５実施形態における条件式（１）から条件式（４）の値を、表１６に示す。
［表１６］
実施形態                  第１      第２      第３      第４      第５
条件式（１）βbt          3.3442    3.7120    3.3690    3.3060    3.5770
条件式（２）f1/√(fw*fT)  0.7965    0.8312    0.8788    0.8265    0.9242
条件式（３）ΔPgF         0.0375    0.0375    0.0375    0.0375    0.0375
条件式（４）Lt/fT         0.6207    0.6457    0.7213    0.6509    0.6479
【手続補正１４】
【補正対象書類名】特許請求の範囲
【補正対象項目名】全文
【補正方法】変更
【補正の内容】
【特許請求の範囲】
【請求項１】
物体側から順に、正の屈折力を有する第１レンズ群と、負の屈折力を有する第２レンズ群と、正の屈折力を有する第３ンズ群と、正の屈折力を有する第４レンズ群と、第５レンズ群を少なくとも有し、以下の条件式を満足することを特徴とするズームレンズ。
3.1 ≦ βbt ≦ 4.0 ・・・・・・・・・・・・・・・・(１)
βbt ： 第５レンズ群より像側のレンズ群の望遠端での合成倍率
【請求項２】
以下の条件式を満足することを特徴とする請求項１に記載のズームレンズ。
0.5 ≦ f1/√(fw×fT) ≦ 1.3 ・・・・・・・・・・・（２）
fw：広角端での焦点距離
fT：望遠端での焦点距離
f1：第1レンズ群の焦点距離
【請求項３】
前記第５レンズ群以降に少なくとも負の屈折力のレンズ群を１つ含むことを特徴とする請求項１又は２に記載のズームレンズ。
【請求項４】
前記第２レンズ群が、広角端状態から望遠端に変倍する際に固定されていることを特徴とする請求項１ないし３のうちの一項に記載のズームレンズ。
【請求項５】
前記第１レンズ群を構成するレンズ群内のg線とF線における異常分散性をΔPgFとする時、以下の条件を満足するレンズを少なくとも１枚有することを特徴とする請求項１ないし４のうちの一項に記載のズームレンズ。
0.018  ≦  ΔPgF・・・・・・・・・・・・・・・・（３）
ΔPgF：C7及びF2の部分分散比とνdの座標を通る直線を基準線としたときの、部分分散
比の基準線からの偏差
νｄ：ｄ線（波長λ=587.6ｎｍ）に対するアッベ数
【請求項６】
さらに、条件式（４）を満足することを特徴とする請求項１ないし５のうちの一項に記載のズームレンズ。
0.60 ≦ Lt/fT ≦ 0.75 ・・・・・・・・・・・・・・（４）
Lt：望遠端でのレンズ系全長
fT：望遠端での焦点距離
【請求項７】
前記第５レンズ群以降に、少なくとも１つの変倍時移動レンズ群を含むことを特徴とする請求項１ないし６のうちの一項に記載のズームレンズ。
【請求項８】
前記第２レンズ群より像側に絞りを有し、前記絞りより像側のレンズ群もしくは該レンズ群の一部を光軸方向に移動させることで、無限遠から近接物体への合焦を行うことを特徴とする請求項１ないし７のうちの一項に記載のズームレンズ。
【請求項９】
前記第５レンズ群より像側に位置するレンズ群のうち少なくとも１つは、広角端から望遠端への変倍中に物体側に移動することを特徴とする請求項１ないし８のうちの一項に記載のズームレンズ。
【請求項１０】
請求項１ないし９のうちの一項に記載の前記ズームレンズの像側に、前記ズームレンズによって形成された光学像を電気的信号に変換する撮像素子を備えたことを特徴とする撮像装置。